(57)【特許請求の範囲】
【請求項１】
複数のキートップをフレームで囲んだキーボード本体及び該キーボード本体の底面を収納支持するベースプレートを有するキーボード装置を上面に設けた本体筐体と、ディスプレイを有するディスプレイ筐体とをヒンジ機構によって回動可能に連結した電子機器であって、
前記本体筐体内に設けられ、前記ヒンジ機構によって前記ディスプレイ筐体を前記本体筐体に対して回動させる回動動作に連動して動作するリンク機構と、
前記リンク機構と前記キーボード装置との間を連結し、前記リンク機構と連動して動作することで前記キートップと前記フレームとの間の相対的な高さ位置を変化させる駆動部材と、
を備え、
前記駆動部材は、前記ベースプレートに形成された挿通口を通して前記キーボード装置の外部へと延出されて前記リンク機構と連結されており、
前記本体筐体は、前記挿通口の下方となる位置に排水経路を備え、
前記本体筐体は、前記キーボード装置と底面カバーとの間に電子基板を有し、
前記電子基板は、前記挿通口の下方となる位置に孔部を有し、
前記リンク機構は、前記挿通口を通して前記キーボード装置の外部へと延出された前記駆動部材の端部が係合するスリットが設けられ、前記ヒンジ機構の回転動作に伴って前後方向に移動することで前記駆動部材を回転させるスライド部材を有し、
前記スライド部材は、前記キーボード装置の側部で前記電子基板の上面側に配設されており、前記スリットの下面側から下方に向かって突出し、前記電子基板の孔部に挿入された突起を有することを特徴とする電子機器。
【請求項２】
複数のキートップをフレームで囲んだキーボード本体及び該キーボード本体の底面を収納支持するベースプレートを有するキーボード装置を上面に設けた本体筐体と、ディスプレイを有するディスプレイ筐体とをヒンジ機構によって回動可能に連結した電子機器であって、
前記本体筐体内に設けられ、前記ヒンジ機構によって前記ディスプレイ筐体を前記本体筐体に対して回動させる回動動作に連動して動作するリンク機構と、
前記リンク機構と前記キーボード装置との間を連結し、前記リンク機構と連動して動作することで前記キートップと前記フレームとの間の相対的な高さ位置を変化させる駆動部材と、
を備え、
前記駆動部材は、前記ベースプレートに形成された挿通口を通して前記キーボード装置の外部へと延出されて前記リンク機構と連結されており、
前記本体筐体は、前記挿通口の下方となる位置に排水経路を備え、
前記排水経路は、前記本体筐体の底面カバーに貫通形成された排水口と、該排水口と前記挿通口の下方となる位置との間を液体を流通可能に接続する樋形状部とを有することを特徴とする電子機器。
【請求項３】
請求項２記載の電子機器において、
前記駆動部材は、前記キーボード装置の前後方向に沿って複数並んで配置されると共に、各駆動部材にそれぞれ対応するように前記挿通口は複数設けられ、
前記樋形状部は、全ての挿通口の下方となる位置に亘って設けられ、その下流側が前記排水口に連通していることを特徴とする電子機器。
【請求項４】
請求項１〜３のいずれか１項に記載の電子機器において、
前記ベースプレートは、前記キーボード本体の底面を収納可能、且つ内側に液体を貯留可能なバスタブ形状を有し、該バスタブ形状の側壁に前記挿通口が形成されていることを特徴とする電子機器。 
【発明の詳細な説明】
【技術分野】
【０００１】
本発明は、キーボード装置を有する本体筐体とディスプレイを有するディスプレイ筐体との間をヒンジ機構によって回動可能に連結した電子機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。タブレット型ＰＣは持ち運びが容易で入力作業もタッチパネルによって行うことができるため操作が容易である。
【０００３】
しかしながら、タブレット型ＰＣは物理的なキーボードを持たないため、例えば長文の入力作業等に支障を生じる場合がある。そこで、ディスプレイを有するディスプレイ筐体をキーボードを有する本体筐体に対して、１８０度を超えて３６０度まで回動可能としたコンバーチブルタブレット型パーソナルコンピュータ（コンバーチブル型ＰＣ）が提案されている。コンバーチブル型ＰＣでは、通常のノートブック型パーソナルコンピュータ（ノート型ＰＣ）とタブレット型ＰＣの２通りの使用方法が可能であるため、使用者の利便性が非常に高いものとなっている。
【０００４】
本出願人は特許文献１において、ディスプレイ筐体を３６０度位置に回動させた際にキーボード装置のキートップの周囲を囲むフレームが上昇し、キートップとフレームが略面一に設定されるコンバーチブル型ＰＣを提案している。この構成では、タブレット型ＰＣとしての使用時に背面側のキーボード装置が平面に構成されるため、キーボード装置が邪魔になることがなく高い操作性が得られる。
【先行技術文献】
【特許文献】
【０００５】
【特許文献１】特開２０１５−６９２９６号公報
【発明の概要】
【発明が解決しようとする課題】
【０００６】
上記特許文献１の構成では、ディスプレイ筐体と本体筐体との間を連結したヒンジ機構の回転に連動するリンク機構を用い、キーボード装置のフレームに連結されたワイヤ状の駆動部材を回転させ、これによりディスプレイ筐体の回動動作に連動させてフレームを昇降させている。この際、キーボード装置の側面には駆動部材を挿通させるための挿通口が形成されている。
【０００７】
ところで、キーボード装置には、使用者が誤ってこぼした水や飲料等の液体がキートップの隙間から内部に浸入した場合であっても、本体筐体内の電子部品等への漏水を防止する構造が設けられている。ところが、上記特許文献１の構成では、このような防水構造の一部に駆動部材を挿通させるための挿通口を設けているため、この部分から本体筐体内への漏水も防止することが求められている。
【０００８】
本発明は、上記従来技術の課題を考慮してなされたものであり、キーボード装置から浸入した液体によって筐体内部の電子部品が漏水することを防止できる電子機器を提供することを目的とする。
【課題を解決するための手段】
【０００９】
本発明に係る電子機器は、複数のキートップをフレームで囲んだキーボード本体及び該キーボード本体の底面を収納支持するベースプレートを有するキーボード装置を上面に設けた本体筐体と、ディスプレイを有するディスプレイ筐体とをヒンジ機構によって回動可能に連結した電子機器であって、前記本体筐体内に設けられ、前記ヒンジ機構によって前記ディスプレイ筐体を前記本体筐体に対して回動させる回動動作に連動して動作するリンク機構と、前記リンク機構と前記キーボード装置との間を連結し、前記リンク機構と連動して動作することで前記キートップと前記フレームとの間の相対的な高さ位置を変化させる駆動部材とを備え、前記駆動部材は、前記ベースプレートに形成された挿通口を通して前記キーボード装置の外部へと延出されて前記リンク機構と連結されており、前記本体筐体は、前記挿通口の下方となる位置に排水経路を備えることを特徴とする。
【００１０】
このような構成によれば、本体筐体におけるキーボード装置のベースプレートにおける駆動部材の挿通口の下方となる位置に排水経路を設けている。このため、例えば使用者が誤ってキーボード装置に対して水や飲料等の液体をこぼした場合であっても、キートップの隙間からキーボード本体を収納支持するベースプレートの上面へと流れ込み、そこから挿通口を通って本体筐体の内部に流れ落ちる液体を排水経路を介して本体筐体外へと円滑に排水することができる。このため、本体筐体の内部の電子部品への漏水を防止できる。
【００１１】
前記本体筐体は、前記キーボード装置と底面カバーとの間に電子基板を有し、前記電子基板は、前記挿通口の下方となる位置に孔部を有する構成であってもよい。そうすると、挿通口から流れ落ちる液体は、電子基板の上面上を流れることなく孔部から排水経路へと円滑に流れ落ちるため、電子基板上の電子部品への漏水を防止できる。
【００１２】
前記リンク機構は、前記挿通口を通して前記キーボード装置の外部へと延出された前記駆動部材の端部が係合するスリットが設けられ、前記ヒンジ機構の回転動作に伴って前後方向に移動することで前記駆動部材を回転させるスライド部材を有し、前記スライド部材は、前記キーボード装置の側部で前記電子基板の上面側に配設されており、前記スリットの下面側から下方に向かって突出し、前記電子基板の孔部に挿入された突起を有する構成であってもよい。そうすると、挿通口を通って駆動部材を伝わりスライド部材のスリットへと流れた液体を、突起に伝わせて孔部の下方へと落下させ、円滑に排水経路へと排水することができる。
【００１３】
前記排水経路は、前記本体筐体の底面カバーに貫通形成された排水口と、該排水口と前記挿通口の下方となる位置との間を液体を流通可能に接続する樋形状部とを有する構成であってもよい。そうすると、挿通口から落下した液体を樋形状部を流通させて排水口へと確実に導くことができる。
【００１４】
前記駆動部材は、前記キーボード装置の前後方向に沿って複数並んで配置されると共に、各駆動部材にそれぞれ対応するように前記挿通口は複数設けられ、前記樋形状部は、全ての挿通口の下方となる位置に亘って設けられ、その下流側が前記排水口に連通した構成であってもよい。そうすると、１本の樋形状部を用いて複数の挿通口から落下した液体を円滑に排水口へと導くことができ、本体筐体の底面カバーに形成する排水口の設置数を最小限に抑えることができる。
【００１５】
前記ベースプレートは、前記キーボード本体の底面を収納可能、且つ内側に液体を貯留可能なバスタブ形状を有し、該バスタブ形状の側壁に前記挿通口が形成された構成であってもよい。そうすると、例えば誤ってキーボード装置の上面に対してこぼされた液体は、バスタブ形状のベースプレート内で貯留されつつ、下方に排水経路を設けた挿通口から円滑に排水される。これにより、排水経路を設けていない部分でベースプレートから本体筐体内に漏水することが防止されるため、本体筐体内部の電子部品への漏水を一層確実に防止できる。
【発明の効果】
【００１６】
本発明によれば、キーボード装置のベースプレートにおける駆動部材の挿通口の下方となる位置に排水経路を設けている。これにより、例えば使用者が誤ってキーボード装置に対して水や飲料等の液体をこぼした場合であっても、挿通口から落下する液体を排水経路から本体筐体外へと円滑に排水することができる。このため、本体筐体の内部の電子部品への漏水を防止できる。
【図面の簡単な説明】
【００１７】
【図１】図１は、本発明の一実施形態に係る電子機器の平面図である。
【図２】図２は、図１に示す電子機器をノート型ＰＣでの使用形態とした場合の側面図である。
【図３】図３は、図２に示す状態からディスプレイ筐体を開き方向に回動させて３６０度位置としたタブレット型ＰＣでの使用形態とした場合の側面図である。
【図４】図４は、図１に示すキーボード装置の一部拡大斜視図である。
【図５】図５は、キーボード装置を含めた本体筐体の内部構造を模式的に示した縦断面図である。
【図６】図６は、本体筐体からキーボード装置を取り外した状態を模式的に示した平面図である。
【図７】図７は、本体筐体の底面カバーの内面構造を模式的に示した平面図である。
【図８】図８は、本実施形態に係る電子機器に用いられるヒンジ機構の一構成例を模式的に示す平面図である。
【図９】図９は、ヒンジ機構に設けられるスパイラルピンの外周面に形成されたレール溝の展開図である。
【図１０】図１０は、１８０度位置でのリンク機構の状態を模式的に示す平面図である。
【図１１】図１１は、３６０度位置でのリンク機構の状態を模式的に示す平面図である。
【図１２】図１２は、フレームが下降位置にある場合のキーボード装置の構成を示す要部拡大斜視図である。
【図１３】図１３は、図１２に示す状態からフレームが上昇位置となった場合のキーボード装置の構成を示す要部拡大斜視図である。
【図１４】図１４は、キートップを上下動させる構成例を示す動作図であり、図１４（Ａ）は、キートップが最も上方にある使用位置での側面図であり、図１４（Ｂ）は、図１４（Ａ）に示す状態からキートップが押し下げられた非使用位置での側面図である。
【発明を実施するための形態】
【００１８】
以下、本発明に係る電子機器について好適な実施の形態を挙げ、添付の図面を参照しながら詳細に説明する。
【００１９】
図１は、本発明の一実施形態に係る電子機器１０の平面図であり、ヒンジ機構１２Ｌ，１２Ｒによってディスプレイ筐体１４を本体筐体１６から開き、ノート型ＰＣでの使用形態として上から見た図である。図２は、図１に示す電子機器１０をノート型ＰＣでの使用形態とした場合の側面図であり、図３は、図２に示す状態からディスプレイ筐体１４を開き方向に回動させて３６０度位置としたタブレット型ＰＣでの使用形態とした場合の側面図である。
【００２０】
本実施形態に係る電子機器１０は、ディスプレイ筐体１４を本体筐体１６に対して９０度〜１５０度程度の角度位置に回動させた状態ではノート型ＰＣとして好適に使用でき（図１及び図２参照）、ディスプレイ筐体１４を本体筐体１６に対して３６０度位置まで回動させた状態ではタブレット型ＰＣとして好適に使用できる（図３参照）、いわゆるコンバーチブル型ＰＣである。本発明は、このようなコンバーチブル型ＰＣ以外、例えばディスプレイ筐体が１８０度程度までしか開かない一般的なノート型ＰＣ等、各種の携帯用情報機器等の電子機器に適用できる。
【００２１】
以下、図１及び図２に示すノート型ＰＣでの使用形態を基準とし、ディスプレイ筐体１４の表面（前面）１４ａに設けられたディスプレイ１８を視認しながら本体筐体１６の操作面である表面（上面）１６ａに設けられたキーボード装置２０を操作する使用者から見た方向で、手前側を前側（前方）、奥側を後側（後方）と呼び、本体筐体１６の厚み方向を上下方向、幅方向を左右方向と呼んで説明する。
【００２２】
また説明の便宜上、本体筐体１６に対するディスプレイ筐体１４の角度位置について、ディスプレイ筐体１４を本体筐体１６に対して完全に閉じた状態とし、互いの表面１４ａ，１６ａが対面した姿勢を０度位置（図２中で本体筐体１６の上に２点鎖線で示すディスプレイ筐体１４参照）と呼ぶ。そしてこの０度位置を基準として、ディスプレイ筐体１４を開き方向に回動させる方向で角度を刻みながら説明するものとし、例えばディスプレイ筐体１４と本体筐体１６とが直交した姿勢を９０度位置と呼び、表面１４ａ，１６ａが同一方向（上方）を向いて互いに平行した姿勢を１８０度位置（図２中に２点鎖線で示すディスプレイ筐体１４参照）と呼ぶ。さらに、ディスプレイ筐体１４と本体筐体１６の背面同士、つまりディスプレイ筐体１４の背面（後面）１４ｂと本体筐体１６の背面（下面）１６ｂとが対面した姿勢を３６０度位置（図３参照）と呼ぶものとする。なお、０度位置、９０度位置、１８０度位置及び３６０度位置等については、本体筐体１６、ディスプレイ筐体１４又はヒンジ機構１２Ｌ，１２Ｒの構造により、角度数字の示す正確な角度位置から多少ずれた角度位置となることも当然生じるものであり、これらのずれた角度位置も含めて、本実施形態では０度位置等と呼んで説明している。
【００２３】
図１〜図３に示すように、電子機器１０は、ディスプレイ１８を有するディスプレイ筐体１４と、キーボード装置２０を有する本体筐体１６とを備え、ディスプレイ筐体１４と本体筐体１６との間が左右一対のヒンジ機構１２Ｌ，１２Ｒ（以下、まとめて「ヒンジ機構１２」とも呼ぶ）によって回動可能に連結されている。
【００２４】
ディスプレイ筐体１４はヒンジ機構１２を通過した図示しないケーブルにより本体筐体１６と電気的に接続されている。ディスプレイ１８は、例えばタッチパネル式の液晶表示装置によって構成される。
【００２５】
本体筐体１６は、表面１６ａを形成する上面カバー２１と、背面１６ｂを形成する底面カバー２２とによって扁平な箱状に形成され、その後端縁部にヒンジ機構１２が設けられている。本体筐体１６の内部には、電子基板３８（図５及び図６参照）、演算装置及びメモリ等の各種電子部品が収納されている。
【００２６】
本体筐体１６の表面１６ａに設けられたキーボード装置２０は、前後左右方向に並ぶように配列された複数のキートップ２４と、各キートップ２４の周囲の隙間を埋めるフレーム（コスメティックフレーム）２６とを備えたアイソレーション型のキーボード装置である。このためキーボード装置２０では、隣接するキートップ２４間がフレーム２６によって区画され、それぞれが独立した構成となっている。
【００２７】
フレーム２６は、一枚の板状部材に各キートップ２４を挿通させる複数のキー配設孔２６ａ（図４及び図１２参照）を形成した枠体である。フレーム２６は、本体筐体１６の表面１６ａに設けた開口２１ａ、つまり本体筐体１６の上面カバー２１に形成されたキーボード装置２０の配設用の開口２１ａ内で上下動可能である。フレーム２６の上下動作はヒンジ機構１２によるディスプレイ筐体１４の回動動作に連動する。
【００２８】
図４は、図１に示すキーボード装置２０の一部拡大斜視図であり、図５は、キーボード装置２０を含めた本体筐体１６の内部構造を模式的に示した縦断面図である。また、図６は、本体筐体１６からキーボード装置２０を取り外した状態を模式的に示した平面図であり、図７は、本体筐体１６の底面カバー２２の内面構造を模式的に示した平面図である。
【００２９】
図４及び図５に示すように、キーボード装置２０は、キートップ２４及びフレーム２６を有するキーボード本体３０と、キーボード本体３０の底面を収納支持するバスタブ形状のベースプレート３２とを備える。
【００３０】
キーボード本体３０は、ベースプレート３２の上面側に図示しないガイド機構を介して上下動可能に配設されるキートップ２４と、キートップ２４の周囲の隙間を埋め、ベースプレート３２の上面側で駆動部材である駆動ワイヤ３４の駆動作用下に上下動可能に配設されるフレーム２６とを備える。
【００３１】
キートップ２４は、押下操作された際、ベースプレート３２の上面に配設されたメンブレンスイッチ等の接点を閉じることでそのキー種類に応じた信号を発信する一般的なキースイッチである。フレーム２６は、キートップ２４の周囲に配置された枠状の樹脂製プレート部材であり、ベースプレート３２の上面上且つ上面カバー２１の開口２１ａ内となる位置で上下動可能に支持されている。フレーム２６は、その下面（内面）が駆動ワイヤ３４によって押圧されることで上下動し、その上面がキートップ２４の頂面よりも下にある下降位置（図１２参照）から、その上面がキートップ２４の頂面と面一又は僅かに上にある上昇位置（図１３参照）まで移動することができる。
【００３２】
ベースプレート３２は、薄いアルミニウム板等の金属板で形成されている。ベースプレート３２はキーボード本体３０の取付板となるものであり、当該キーボード装置２０に配設される全てのキートップ２４が１枚のベースプレート３２を共用している。図４及び図５に示すように、ベースプレート３２は、その四周縁部が上方に起立した側壁３２ａによって囲まれることで、キーボード本体３０の底面を収納可能、且つ内側に液体を貯留可能なバスタブ形状を有する。従って、使用者が誤ってキーボード装置２０に対して水や飲料等の液体をこぼした場合、この液体は各キートップ２４とフレーム２６との隙間を通ってキーボード装置２０内に浸入することになるが、バスタブ形状を有するベースプレート３２が受け皿となって本体筐体１６内に漏水することが防止される。
【００３３】
但し、詳細は後述するが、当該電子機器１０では上記のようにフレーム２６を駆動ワイヤ３４によって上下動可能に構成するため、駆動ワイヤ３４をキーボード装置２０の外部へと延出させている。このため、ベースプレート３２の側壁３２ａには駆動ワイヤ３４を挿通させるための挿通口３２ｂ（図４及び図５参照）が前後方向に並んで形成されている。その結果、ベースプレート３２のバスタブ形状に貯留された液体がこの挿通口３２ｂを通って本体筐体１６内に浸入する恐れがあるため、当該電子機器１０では挿通口３２ｂを通過した液体を本体筐体１６外へと円滑に排水するための排水経路３６を設け、本体筐体１６内の各種電子部品の浸水を防止する構成としている。
【００３４】
図５及び図６に示すように、このようなキーボード装置２０は、本体筐体１６の上面カバー２１に形成された開口２１ａに対して配設されることで、本体筐体１６内に設けられた電子基板３８の上面側に配置される。電子基板３８は、本体筐体１６の左右方向に渡って延在しており、当該電子機器１０の主となる制御基板である。電子基板３８の左右端部には、それぞれ前後方向に並んだ複数（本実施形態では６個）の孔部３８ａが形成されている。
【００３５】
次に、フレーム２６の可動構造の一構成例を説明し、その後、排水経路３６の構成について説明する。
【００３６】
上記した通り、本実施形態の構成ではフレーム２６の可動構造（上下動作）はヒンジ機構１２によるディスプレイ筐体１４の回動動作に連動する。そこで、先ず、ヒンジ機構１２の構成例について説明する。
【００３７】
図８は、本実施形態に係る電子機器１０に用いられるヒンジ機構１２の一構成例を模式的に示す平面図であり、左側のヒンジ機構１２Ｌの構成を代表的に示している。以下、ヒンジ機構１２として左側のヒンジ機構１２Ｌを例示して説明するが、右側のヒンジ機構１２Ｒは左側のヒンジ機構１２Ｌと左右対称構造であって実質的に同一構造のため、その詳細な説明は省略する。
【００３８】
図８に示すように、ヒンジ機構１２Ｌ（１２Ｒ）は、左右方向に延在する第１シャフト（第１軸）４０と、第１シャフト４０と平行して設置された第２シャフト（第２軸）４１と、第１シャフト４０及び第２シャフト４１を回転可能に軸支して収納する箱状のヒンジ筐体４２とを備える（図２及び図３も参照）。
【００３９】
第１シャフト４０は、一端部がディスプレイ筐体１４に設けられた図示しない嵌合孔に嵌入固定されることで該ディスプレイ筐体１４と一体的に回転する。第２シャフト４１は、一端部が本体筐体１６に設けられた図示しない嵌合孔に嵌入固定されることで該本体筐体１６と一体的に回転する。第１シャフト４０及び第２シャフト４１の大部分はヒンジ筐体４２の内部に回転可能な状態で収納されている。これら第１シャフト４０及び第２シャフト４１は、例えば０度位置から１８０度位置までは第１シャフト４０のみが回転し、１８０度位置から３６０度位置までは第２シャフト４１のみが回転する構成とされている。勿論、他の回転角度位置で第１シャフト４０及び第２シャフト４１の回転が選択される構成であってもよく、例えば第１シャフト４０及び第２シャフト４１が図示しない歯車列等によって同期回転する構成であってもよい。
【００４０】
ヒンジ筐体４２には本体筐体１６の後端縁部に設けられた凸状部が入り込む凹状部４２ａが設けられており、この凹状部４２ａの一側面にはスパイラルピン４４が突設されている。スパイラルピン４４は本体筐体１６側の第２シャフト４１と同軸上に設けられ、ヒンジ筐体４２の回動動作に連動して第２シャフト４１と同軸で回転する。スパイラルピン４４の外周面には、図９に示す展開図に示された形状からなるレール溝４６が螺旋状に形成されている。
【００４１】
レール溝４６は、スパイラルピン４４の外周面で軸方向に沿って螺旋を描くように形成され、ヒンジ機構１２Ｌの場合はスパイラルピン４４の左側から右側に向かう溝である。レール溝４６には、後述するリンク機構５０を構成するヒンジリンク５２の係合片５２ａが摺動可能に係合している。
【００４２】
ディスプレイ筐体１４が１８０度位置から３６０度位置まで回動する間は第２シャフト４１が回転するため、この回転に応じてスパイラルピン４４が回転し、これにより係合片５２ａはレール溝４６を移動する。一方、ディスプレイ筐体１４が０度位置から１８０度位置まで回動する間は第２シャフト４１が回転しないためスパイラルピン４４も回転せず、このため係合片５２ａはレール溝４６の始点となる一端部に留まる。なお、例えば第１シャフト４０と第２シャフト４１を同期回転する構成とした場合は、レール溝４６の始点となる一端部にスパイラルピン４４の周方向に沿う溝（空振り溝）を設け、０度位置から１８０度位置の間はこの周方向に沿う溝を係合片５２ａが移動するように構成すればよい。
【００４３】
次に、ヒンジ機構１２によるディスプレイ筐体１４の回動動作とキーボード装置２０のフレーム２６の上下動作とを連動させるリンク機構５０の構成例について説明する。
【００４４】
図１０は、１８０度位置（から０度位置の間）でのリンク機構５０の状態を模式的に示す平面図であり、図１１は、３６０度位置でのリンク機構５０の状態を模式的に示す平面図である。図１０及び図１１では、左側のヒンジ機構１２Ｌ及びこれと連動するリンク機構５０を例示して説明するが、右側のヒンジ機構１２Ｒ及びこれと連動するリンク機構５０は左側のものと左右対称構造であって実質的に同一構造のため、その詳細な説明は省略する。
【００４５】
図１０及び図１１に示すように、リンク機構５０は、本体筐体１６の内部で動作するものであり、本体筐体１６の内面で左右方向に移動可能に支持されたヒンジリンク５２と、本体筐体１６の内面に対して一端側の回動軸５４を中心として回動可能に支持された揺動部材５６と、揺動部材５６の回動軸５４とは反対側の他端側に対して作用ピン５８を介して回転可能に連結されたスライド部材６０とを備える。リンク機構５０を構成するヒンジリンク５２、揺動部材５６及びスライド部材６０は、本体筐体１６の上面カバー２１の下面（内面）に対して移動可能に支持され、電子基板３８の上面側に配置されている（図５及び図６も参照）。
【００４６】
ヒンジリンク５２は、後方へと突出してスパイラルピン４４のレール溝４６に係合する係合片５２ａを有したＬ字形状のプレートである。ディスプレイ筐体１４が回動されてスパイラルピン４４が回転すると、ヒンジリンク５２は係合片５２ａがレール溝４６を摺動することで左右方向にスライド移動する（図１０及び図１１参照）。
【００４７】
揺動部材５６は、回動軸５４が設けられたヒンジリンク５２側の一端側に膨らんだ湾曲形状を有する略三角形状のプレートである。揺動部材５６は、回動軸５４の後側となる位置でヒンジリンク５２との間が連結ピン６２によって互いに回転可能な状態で連結されている。揺動部材５６の回動軸５４とは反対側の他端側は、作用ピン５８によってスライド部材６０と回転可能に連結されている。
【００４８】
スライド部材６０は、図示しないガイド構造によって本体筐体１６に対して前後方向にスライド可能に設けられた長尺矩形状のプレートである。スライド部材６０は、その後端部に作用ピン５８が突設されており、この作用ピン５８が揺動部材５６に回転可能に連結されている。
【００４９】
このようなリンク機構５０では、スパイラルピン４４の回転を受けてヒンジリンク５２が左右方向にスライド移動すると、連結ピン６２が力点となると共に回動軸５４が回動支点となって揺動部材５６が回動し、作用ピン５８が作用点となってスライド部材６０が前後方向に移動する（図１０及び図１１参照）。
【００５０】
次に、リンク機構からの駆動力を受けてフレーム２６を上下動作させる駆動ワイヤ３４の構成例について説明する。
【００５１】
図６、図１０及び図１２に示すように、駆動ワイヤ３４は、左右のヒンジ機構１２Ｌ，１２Ｒと連動する左右のスライド部材６０のスリット６０ａ，６０ａ間に架け渡されている。駆動ワイヤ３４はＳＵＳ材等で形成された硬質の線材であり、例えば直径１ｍｍ程度で十分な剛性を有する。本実施形態では６本の駆動ワイヤ３４を前後方向に並列している。
【００５２】
各駆動ワイヤ３４は、両端にそれぞれ設けられた駆動端部３４ａ，３４ａと、両端の駆動端部３４ａ，３４ａ間で左右方向に延びた直線部分である基部３４ｂとを有する。図４及び図５に示すように、駆動端部３４ａは基部３４ｂの端部を９０度屈曲させたアーム部３４ｃの先端から９０度屈曲させて形成されており、基部３４ｂと平行するように左右方向へと突出している。これにより、駆動ワイヤ３４の両端部はクランク形状となっている。キーボード装置２０のベースプレート３２の左右の側壁３２ａには各駆動ワイヤ３４に対応する位置に切欠形状の挿通口３２ｂが設けられており、この挿通口３２ｂを通過した基部３４ｂの端部にアーム部３４ｃ及び駆動端部３４ａが設けられている。駆動ワイヤ３４の両端の構成は、左右対称構造とされている。
【００５３】
両端の駆動端部３４ａ，３４ａは、左右のスライド部材６０，６０のスリット６０ａ，６０ａにそれぞれ上下動可能且つ回転可能な状態で係合される。基部３４ｂは、各キートップ２４間に形成された前後方向の間隙を埋めるように左右に延在したフレーム２６の横枠２６ｂの下面に対して回転可能な状態で連結される（図１２及び図１３参照）。基部３４ｂには、前方に向けてＶ字状に屈曲された屈曲部３４ｄが形成されている。屈曲部３４ｄは、基部３４ｂの左右方向に渡って複数形成されている。
【００５４】
次に、リンク機構５０によってディスプレイ筐体１４の回動動作と連動するフレーム２６の上下動作について説明する。
【００５５】
先ず、ディスプレイ筐体１４が０度位置から１８０度位置までの間は、第２シャフト４１が回転しないためスパイラルピン４４も回転せず、図１０に示すように初期位置にあるヒンジリンク５２によって揺動部材５６が図中で最も反時計方向に回動した位置にあり、作用ピン５８が最も前方となる位置にある。このため、スライド部材６０も最も前側に移動した位置にある。
【００５６】
この状態では、駆動ワイヤ３４は、図１０及び図１２に示すようにベースプレート３２上で屈曲部３４ｄが横倒し姿勢となっている。このため、駆動ワイヤ３４の基部３４ｂが回転可能に連結されたフレーム２６も基部３４ｂによって引き寄せられて下降位置にあり、図１２に示すようにキートップ２４の頂面よりもフレーム２６の上面が下にあり、キートップ２４を良好に操作することができる。
【００５７】
次に、ディスプレイ筐体１４が１８０度位置を超えて開き方向に回動されると、ヒンジ機構１２のヒンジ筐体４２も回動し、スパイラルピン４４が回転するため、１８０度位置から３６０度位置までの間は、ヒンジリンク５２の係合片５２ａがレール溝４６を摺動する（図１０参照）。その結果、１８０度位置から３６０度位置までの間でのスパイラルピン４４の回転により、図１２に示すようにヒンジリンク５２が進動方向（図１２中で右側）に押し出し移動されて揺動部材５６を時計方向に回動させ、作用ピン５８を介してスライド部材６０を後方へと進動させる。
【００５８】
スライド部材６０が後方に移動すると、駆動ワイヤ３４の駆動端部３４ａも後方に移動するため、駆動ワイヤ３４は基部３４ｂが回転して屈曲部３４ｄが起立し、図１１及び図１３に示す３６０度位置ではベースプレート３２上で屈曲部３４ｄが起立した鉛直姿勢となる。
【００５９】
この状態では、駆動ワイヤ３４の基部３４ｂはベースプレート３２上から上昇した上昇位置にあり、この基部３４ｂと連結されたフレーム２６も基部３４ｂによって持ち上げられて上昇位置にある。このため、図１３に示すようにフレーム２６の上面がキートップ２４の頂面と面一又は僅かに上にあり、キーボード装置２０の上面が略平面となる。つまり、各キートップ２４がフレーム２６によって実質的に隠された状態となって本体筐体１６の表面１６ａが平面となるため、タブレット型ＰＣとして使用する際、キーボード装置２０が邪魔になることがない。なお、３６０度位置にあるディスプレイ筐体１４を閉じ方向に回動動作させる場合には、上記の開き方向への回動動作と逆方向の動作が生じることになる。
【００６０】
ところで、上記したように当該電子機器１０では、キーボード装置２０のベースプレート３２にバスタブ形状を採用しているものの、駆動ワイヤ３４を挿通させる挿通口３２ｂからの漏水が懸念される。
【００６１】
そこで、次に挿通口３２ｂを通過した液体を本体筐体１６外へと円滑に排水するための排水経路３６について具体的に説明する。
【００６２】
図５及び図７に示すように、排水経路３６は、ベースプレート３２の側壁３２ａの挿通口３２ｂの下方に配設されており、本体筐体１６の底面カバー２２の底面に貫通形成された排水口６４と、排水口６４と各挿通口３２ｂの下方となる位置との間を液体を流通可能に接続する樋形状部６６とを有する。
【００６３】
樋形状部６６は、底面カバー２２の内面に形成された左右一対の壁部６６ａ，６６ａによって構成されている。本実施形態の場合、駆動ワイヤ３４がキーボード装置２０の前後方向に並んで複数設けられているため、挿通口３２ｂも左右の側壁３２ａの前後方向に並んで複数設けられている（図４及び図６参照）。そこで、樋形状部６６は、前後方向に並んだ全ての挿通口３２ｂから流れ落ちた液体を受けることができるように、全ての挿通口３２ｂに亘るように前後方向に延在する長尺な形状となっている。図５に示すように、各壁部６６ａの上端面と電子基板３８との間にはスポンジ等で形成された防水シール６７が配設されている。
【００６４】
なお、挿通口３２ｂをベースプレート３２の底面に形成し、例えばクランク形状によってこれを通した駆動ワイヤ３４をキーボード装置２０の側方に延出させた構成であってもよく、この場合にはベースプレート３２の底面に形成された挿通口３２ｂの下方に孔部３８ａや排水経路３６を配置すればよい。
【００６５】
排水口６４は、挿通口３２ｂから流れ落ちて樋形状部６６を流れた液体を本体筐体１６の外部に排出するための孔部である。本実施形態の場合、ノート型ＰＣの使用形態で本体筐体１６の後側が前側よりも高くなり、前下がりに傾斜した載置姿勢となるように設定されている。そこで、排水口６４は樋形状部６６を後側から前側に流れた液体を円滑に排出するため、樋形状部６６の前端部に形成されている（図７参照）。
【００６６】
従って、キーボード装置２０の上面にこぼされた水や飲料等の液体がキートップ２４の隙間からベースプレート３２の上面を介して挿通口３２ｂから落下した場合であっても、この液体は樋形状部６６を介して排水口６４から円滑に本体筐体１６外へと排出されることになる。
【００６７】
当該電子機器１０では、挿通口３２ｂ（ベースプレート３２）と底面カバー２２との間には電子基板３８が介在している。そこで、上記したように各挿通口３２ｂの下方となる位置で電子基板３８に孔部３８ａをそれぞれ形成し、排水経路３６と挿通口３２ｂとの間を連通させている（図５及び図６参照）。これにより、挿通口３２ｂから流れ落ちる液体は、電子基板３８の上面上を流れることなく孔部３８ａから樋形状部６６へと落下する。電子基板３８の上面上への液体の流入をより確実に防止するため、孔部３８ａの縁部となる電子基板３８とベースプレート３２との間にも防水シール６７が配設されている。
【００６８】
電子基板３８の各孔部３８ａには、スライド部材６０の側縁部から下方に向かって突出したリブ状の突起６０ｂが挿入されている。突起６０ｂは、駆動ワイヤ３４の駆動端部３４ａが係合されるスリット６０ａの下方に設けられ、スライド部材６０の前後方向の移動に伴い孔部３８ａ内で移動可能である。突起６０ｂを設けたことにより、挿通口３２ｂを通って駆動ワイヤ３４を伝わりスリット６０ａへと流れた液体を、該突起６０ｂに伝わせて孔部３８ａの下方へと落下させ、円滑に樋形状部６６へと排水することができる（図５中の破線Ｗ参照）。
【００６９】
このような排水経路３６を用いたキーボード装置２０からの排水構造は、駆動ワイヤ３４によってフレーム２６を上下動させ、これによりキートップ２４とフレーム２６との間の相対的な高さ位置を変化させる構成以外、例えば図１４に示すようにフレーム２６を固定構造とし、キートップ２４を上下動させることでキートップ２４とフレーム２６との間の相対的な高さ位置を変化させる構成に対しても適用できる。
【００７０】
図１４は、キートップ２４を上下動させる構成例を示す動作図であり、図１４（Ａ）は、キートップ２４が最も上方にある使用位置での側面図であり、図１４（Ｂ）は、図１４（Ａ）に示す状態からキートップ２４が押し下げられた非使用位置での側面図である。
【００７１】
図１４（Ａ）及び図１４（Ｂ）に示すように、この構成の場合、駆動ワイヤ３４は各キートップ２４の後側部に沿って配設される。この際、駆動ワイヤ３４の外周面には各キートップ２４側となる前方へと突出し、各キートップ２４の受け片２４ａの上面に当接配置されることで受け片２４ａを下方に向かって押下可能な押圧片７０が設けられるが、上記した屈曲部３４ｄは設けられていない。駆動ワイヤ３４は、キートップ２４を前後方向の配列数分だけ前後方向に並設される。なお、図１４中の参照符号７２はキートップ２４を上下動可能に支持するパンタグラフ構造のガイド機構であり、参照符号７４はベースプレート３２の下面側に貼着され、ベースプレート３２の底面に切欠き等が形成されている場合にこれを埋める防水シートである。
【００７２】
駆動ワイヤ３４の基部３４ｂは、その左右方向の適宜箇所でベースプレート３２又はフレーム２６に設けられた軸受部（図示せず）によって回転可能に位置決め支持されている。これにより、左右のスライド部材６０が前後方向に移動すると、駆動端部３４ａがスライド部材６０のスリット６０ａ内で回転しながら該スライド部材６０と共に前後方向に移動し、その結果、軸受部で軸支された基部３４ｂを回転中心としてアーム部３４ｃが前後方向に振り子状に揺動しつつ、基部３４ｂが軸周りに回転する。押圧片７０は、駆動ワイヤ３４の基部３４ｂの外周面に外嵌固着された取付筒体７６から屈曲形成されることで、基部３４ｂの外周面からキートップ２４側へと突出している。押圧片７０は、取付筒体７６の外周面から突出した板片であり、その先端に下方に向かって多少屈曲した押圧部が設けられている。
【００７３】
従って、ディスプレイ筐体１４が０度位置から１８０度位置までの間は、スライド部材６０が最も前側に移動した初期位置にあるため（図１０参照）、図１４（Ａ）に示すようにキートップ２４はフレーム２６の上方に飛び出した使用位置に設定される。これにより、キーボード装置２０の使用が可能となっている。
【００７４】
一方、ディスプレイ筐体１４が１８０度位置を超えて開き方向に回動され、スライド部材６０が後方へと進動すると（図１１参照）、図１４（Ｂ）に示すように駆動ワイヤ３４の駆動端部３４ａも後方に移動するため、駆動ワイヤ３４は押圧片７０が下に移動する方向に回転する。その結果、押圧片７０によって受け片２４ａが押圧作用を受け、キートップ２４が押圧片７０と共に下方に移動する。そして、３６０度位置では、図１４（Ｂ）に示すようにキートップ２４の頂面がフレーム２６の上面と面一又は僅かに低い位置にあってキーボード装置２０の上面が平面となる。その結果、各キートップ２４がフレーム２６によって実質的に隠された状態となり、本体筐体１６の表面１６ａが平面となるため、タブレット型ＰＣとして使用する際、キーボード装置２０が邪魔になることがない。
【００７５】
そして、このようにキートップ２４を駆動ワイヤ３４によって上下動させる構造においても、ベースプレート３２の挿通口３２ｂの下方に排水経路３６を設けているため、この挿通口３２ｂから落下する液体を本体筐体１６外へと円滑に排出することができる。
【００７６】
以上のように、本実施形態に係る電子機器１０は、複数のキートップ２４をフレーム２６で囲んだキーボード本体３０及びキーボード本体３０の底面を収納支持するベースプレート３２を有するキーボード装置２０を表面１６ａに設けた本体筐体１６と、ディスプレイ１８を有するディスプレイ筐体１４とをヒンジ機構１２によって回動可能に連結した構成において、本体筐体１６内に設けられ、ヒンジ機構１２によってディスプレイ筐体１４を本体筐体１６に対して回動させる回動動作に連動して動作するリンク機構５０と、リンク機構５０とキーボード装置２０との間を連結し、リンク機構５０と連動して動作することでキートップ２４とフレーム２６との間の相対的な高さ位置を変化させる駆動部材である駆動ワイヤ３４とを備える。そして、駆動ワイヤ３４は、ベースプレート３２の側壁３２ａに形成された挿通口３２ｂを通してキーボード装置２０の外部へと延出されてリンク機構５０と連結されており、本体筐体１６は、挿通口３２ｂの下方となる位置に排水経路３６を備える。
【００７７】
このような構成では、例えば使用者が誤ってキーボード装置２０の上面に水や飲料等の液体をこぼした場合には、液体がキートップ２４の隙間からキーボード本体３０を収納支持するベースプレート３２の上面へと流れ込み、そこから駆動ワイヤ３４の挿通用の挿通口３２ｂを通って本体筐体１６の内部に流れ落ちることがある。しかしながら、当該電子機器１０では、この挿通口３２ｂの下方となる位置に排水経路３６を設けているため、挿通口３２ｂから流れ出し或いは駆動ワイヤ３４を伝って落下した液体を本体筐体１６外へと円滑に排水することができ、電子基板３８に設けられた電子部品等、本体筐体１６内部の電子部品への漏水が防止される。
【００７８】
当該電子機器１０では、本体筐体１６はキーボード装置２０と底面カバー２２との間に電子基板３８を有し、電子基板３８は挿通口３２ｂの下方となる位置に孔部３８ａを有する。このため、挿通口３２ｂから流れ落ちる液体は、電子基板３８の上面上を流れることなく孔部３８ａから排水経路３６へと円滑に流れ落ちるため、電子基板３８上の電子部品への漏水を防止できる。
【００７９】
リンク機構５０は、挿通口３２ｂを通してキーボード装置２０の外部へと延出された駆動ワイヤ３４の駆動端部３４ａが係合するスリット６０ａが設けられ、ヒンジ機構１２の回転動作に伴って前後方向に移動することで駆動ワイヤ３４を回転させるスライド部材６０を有する。そして、スライド部材６０は、キーボード装置２０の側部で電子基板３８の上面側に配設されており、スリット６０ａの下面側から下方に向かって突出し、電子基板３８の孔部３８ａに挿入された突起６０ｂを有する。これにより、挿通口３２ｂを通って駆動ワイヤ３４を伝わりスリット６０ａへと流れた液体を、突起６０ｂに伝わせて孔部３８ａの下方へと落下させ、円滑に排水経路３６へと排水することができる。
【００８０】
当該電子機器１０では、排水経路３６は、本体筐体１６の底面カバー２２に貫通形成された排水口６４と、排水口６４と挿通口３２ｂの下方となる位置との間を液体を流通可能に接続する樋形状部６６とを有した構成としている。このため、挿通口３２ｂから落下した液体を樋形状部６６を流通させて排水口６４へと確実に導くことができる。
【００８１】
この場合、駆動ワイヤ３４は、キーボード装置２０の前後方向に沿って複数並んで配置されると共に、各駆動ワイヤ３４にそれぞれ対応するように挿通口３２ｂは複数設けられ、樋形状部６６は、全ての挿通口３２ｂの下方となる位置に亘って設けられ、その下流側が排水口６４に連通している。これにより、１本の樋形状部６６を用いて複数の挿通口３２ｂから落下した液体を円滑に排水口６４へと導くことができ、本体筐体１６の底面カバー２２に形成する排水口６４の設置数を最小限に抑えることができる。
【００８２】
当該電子機器１０の場合、ベースプレート３２はキーボード本体３０の底面を収納可能、且つ内側に液体を貯留可能なバスタブ形状を有し、該バスタブ形状の側壁３２ａに挿通口３２ｂを形成している。このため、例えば誤ってキーボード装置２０の上面に対してこぼされた液体は、バスタブ形状のベースプレート３２内で貯留されつつ、下方に排水経路３６を設けた挿通口３２ｂから円滑に排水される。これにより、排水経路３６を設けていない部分でベースプレート３２から本体筐体１６内に漏水することが防止されるため、本体筐体１６内部の電子部品への漏水を一層確実に防止できる。
【００８３】
なお、本発明は、上記した実施形態に限定されるものではなく、本発明の主旨を逸脱しない範囲で自由に変更できることは勿論である。
【符号の説明】
【００８４】
１０  電子機器
１２，１２Ｌ，１２Ｒ  ヒンジ機構
１４  ディスプレイ筐体
１６  本体筐体
１８  ディスプレイ
２０  キーボード装置
２１  上面カバー
２１ａ  開口
２２  底面カバー
２４  キートップ
２６  フレーム
２６ａ  キー配設孔
３０  キーボード本体
３２  ベースプレート
３２ａ  側壁
３２ｂ  挿通口
３４  駆動ワイヤ
３６  排水経路
３８  電子基板
３８ａ  孔部
５０  リンク機構
６０  スライド部材
６０ａ  スリット
６０ｂ  突起
６４  排水口
６６  樋形状部
６６ａ  壁部
６７  防水シール
【要約】
【課題】キーボード装置から浸入した液体によって筐体内部の電子部品が漏水することを防止できる電子機器を提供する。
【解決手段】電子機器１０は、本体筐体１６内に設けられ、ヒンジ機構１２によってディスプレイ筐体１４を本体筐体１６に対して回動させる回動動作に連動して動作するリンク機構５０と、リンク機構５０とキーボード装置２０との間を連結し、リンク機構５０と連動して動作することでキートップ２４とフレーム２６との間の相対的な高さ位置を変化させる駆動部材である駆動ワイヤ３４とを備え、駆動ワイヤ３４は、ベースプレート３２の側壁３２ａに形成された挿通口３２ｂを通してキーボード装置２０の外部へと延出されてリンク機構５０と連結されており、本体筐体１６は、挿通口３２ｂの下方となる位置に排水経路３６を備える。
【選択図】図５【図１】
0006055060.tif 000002
【図２】
0006055060.tif 000003
【図３】
0006055060.tif 000004
【図４】
0006055060.tif 000005
【図５】
0006055060.tif 000006
【図６】
0006055060.tif 000007
【図７】
0006055060.tif 000008
【図８】
0006055060.tif 000009
【図９】
0006055060.tif 000010
【図１０】
0006055060.tif 000011
【図１１】
0006055060.tif 000012
【図１２】
0006055060.tif 000013
【図１３】
0006055060.tif 000014
【図１４】
0006055060.tif 000015